(57)【要約】【課題】  夜間作業における倒伏穀稈などに起因した作業効率の低下を抑制できるようにして、夜間作業での作業効率の向上を図れるようにする。【解決手段】  機体の前部に、機体の走行に伴って作物を収穫する収穫部５と、機体の前方を照明する照明装置２５とを配備した収穫機の照明構造において、照明装置２５が、光源体３１からの光を交差させるクロスライティングを行うように構成し、クロスライティングでの光の交点ｐを、収穫部５の前端に備えたデバイダ１１の近傍に設定してある。【選択図】        図３
2008237061.tif 000002
【特許請求の範囲】
【請求項１】
機体の前部に、機体の走行に伴って作物を収穫する収穫部と、機体の前方を照明する照明装置とを配備した収穫機の照明構造であって、
前記照明装置が、光源体からの光を交差させるクロスライティングを行うように構成し、
前記クロスライティングでの前記光の交点を、前記収穫部の前端に備えたデバイダの近傍に設定してあることを特徴とする収穫機の照明構造。
【請求項２】
前記照明装置を、機体の左右に備えた前照灯により構成し、
前記照明装置が、左右の前記前照灯にそれぞれ備えた光源体からの光を交差させて前記クロスライティングを行うように構成してあることを特徴とする請求項１に記載の収穫機の照明構造。
【請求項３】
前記照明装置を、複数の光源体を備える前照灯により構成し、
前記照明装置が、前記前照灯の前記複数の光源体からの光を交差させて前記クロスライティングを行うように構成してあることを特徴とする請求項１または２に記載の収穫機の照明構造。
【請求項４】
前記光源体として発光ダイオードを採用し、
複数の前記発光ダイオードを組み合わせて照明ユニットを構成し、
前記照明装置が、前記照明ユニットの前記複数の発光ダイオードからの光を交差させて前記クロスライティングを行うように構成してあることを特徴とする請求項１〜３のいずれか一つに記載の収穫機の照明構造。
【発明の詳細な説明】
【技術分野】
【０００１】
本発明は、機体の前部に、機体の走行に伴って作物を収穫する収穫部と、機体の前方を照明する照明装置とを配備した収穫機の照明構造に関する。
【背景技術】
【０００２】
近年では、サンデーファーマーの増加に伴って、夜間に収穫作業を行う割合も増加し、特に、麦の収穫のように収穫時期が集中する場合には、収穫作業が夜間にまで及ぶことが多くなっている。
【０００３】
そこで、コンバインなどの収穫機においては、前照灯装置によって、収穫部に備えた分草具（デバイダ）の先端部、および、分草具の前方を照明するように構成したものがある（例えば特許文献１参照）。また、前照灯におけるリフレクタの反射面に、前照灯の光源体からの光を収穫部に向けて照射する反射領域を設けたものもある（例えば特許文献２参照）。さらに、収穫部の横側方から収穫部に備えた複数のデバイダに向けて照射する前照灯を装備したものもある（例えば特許文献３参照）。
【特許文献１】特開２００６−５５０９４号公報
【特許文献２】特開２００７−７２号公報
【特許文献３】特開２００７−７５号公報
【発明の開示】
【発明が解決しようとする課題】
【０００４】
上記の構成によると、夜間の収穫作業時には、収穫部に備えたデバイダやその周囲の収穫作物などを、照明装置によって明るく照明することができる。これにより、夜間の収穫作業時においても、デバイダと収穫作物との位置関係などを把握する際の視認性が向上し、収穫作物に対する適切な位置にデバイダを位置させる条合わせなどを容易かつ迅速に行える。
【０００５】
しかしながら、上記の従来技術では、収穫部に備えたデバイダやその周囲の収穫作物などを、照明装置によって均一に照明するだけであることから、例えば、植立穀稈の倒伏が激しい圃場において夜間作業を行う場合には、デバイダと収穫作物との位置関係などを把握する際の視認性が低下する虞があり、視認性が低下する場合には、前述した条合わせなどが行い難くなることから、作業効率の低下を招くことになる。
【０００６】
本発明の目的は、夜間作業における倒伏穀稈などに起因した作業効率の低下を抑制できるようにして、夜間作業での作業効率の向上を図れるようにすることにある。
【課題を解決するための手段】
【０００７】
上記の目的を達成するため、本発明のうちの請求項１に記載の発明では、
機体の前部に、機体の走行に伴って作物を収穫する収穫部と、機体の前方を照明する照明装置とを配備した収穫機の照明構造において、
前記照明装置が、光源体からの光を交差させるクロスライティングを行うように構成し、
前記クロスライティングでの前記光の交点を、前記収穫部の前端に備えたデバイダの近傍に設定してあることを特徴とする。
【０００８】
この特徴構成によると、クロスライティングによって、デバイダの近傍を集中的に適切な輝度でより明るく照明することができる。これにより、機体の前方を均一に照明する場合に比較して、デバイダに対する視認性を高めることができる。その結果、植立穀稈の倒伏が激しい圃場での夜間作業においても、収穫作物に対する適切な位置にデバイダを位置させる条合わせなどを容易かつ迅速に行える。
【０００９】
従って、夜間作業における倒伏穀稈などに起因した作業効率の低下を抑制することができ、夜間作業での作業効率の向上を図ることができる。
【００１０】
本発明のうちの請求項２に記載の発明では、上記請求項１に記載の発明において、
前記照明装置を、機体の左右に備えた前照灯により構成し、
前記照明装置が、左右の前記前照灯にそれぞれ備えた光源体からの光を交差させて前記クロスライティングを行うように構成してあることを特徴とする。
【００１１】
この特徴構成によると、機体の左側に備えた前照灯の光源体からの光と、機体の右側に備えた前照灯の光源体からの光とを交差させるクロスライティングによって、機体の前方を左右方向においてより広範囲に照明するようにしながら、デバイダの近傍を集中的に適切な輝度でより明るく照明することができる。
【００１２】
これにより、夜間における機体前方側での視認可能範囲をより広く確保できるようにして、機体前方の走行路面の状況や機体の左右幅などの把握を容易に行えるようにしながら、デバイダに対する視認性を高めることができる。その結果、夜間の移動走行や作業走行を行い易くしながら、植立穀稈の倒伏が激しい圃場での夜間作業においても、収穫作物に対する適切な位置にデバイダを位置させる条合わせなどを容易かつ迅速に行える。
【００１３】
従って、夜間作業での移動走行性や作業走行性の向上を図りながら、夜間作業における倒伏穀稈などに起因した作業効率の低下を抑制することができ、結果、夜間作業での作業効率の向上をより効果的に図ることができる。
【００１４】
本発明のうちの請求項３に記載の発明では、上記請求項１または２に記載の発明において、
前記照明装置を、複数の光源体を備える前照灯により構成し、
前記照明装置が、前記前照灯の前記複数の光源体からの光を交差させて前記クロスライティングを行うように構成してあることを特徴とする。
【００１５】
この特徴構成によると、単一の前照灯に備えたいくつかまたは全ての光源体からの光を交差させるクロスライティングによって、デバイダの近傍を集中的に適切な輝度でより明るく照明することができる。
【００１６】
つまり、複数の前照灯を備える場合に比較して部品点数の削減を図りながら、デバイダに対する視認性を高めることができ、夜間作業における倒伏穀稈などに起因した作業効率の低下を抑制することができる。
【００１７】
従って、構成の簡素化やコストの削減を図りながら、夜間作業での作業効率の向上を図ることができる。
【００１８】
本発明のうちの請求項４に記載の発明では、上記請求項１〜３のいずれか一つに記載の発明において、
前記光源体として発光ダイオードを採用し、
複数の前記発光ダイオードを組み合わせて照明ユニットを構成し、
前記照明装置が、前記照明ユニットの前記複数の発光ダイオードからの光を交差させて前記クロスライティングを行うように構成してあることを特徴とする。
【００１９】
この特徴構成によると、照明ユニットを構成するいくつかまたは全ての発光ダイオードからの光を交差させるクロスライティングによって、デバイダの近傍を集中的に適切な輝度でより明るく照明することができる。
【００２０】
つまり、光源体として、ハロゲンバルブや高輝度放電灯（ＨＩＤ）などに比較して、安価で発熱し難く寿命が長い上に消費電力の少ない発光ダイオードを採用して、照明に要するコストの削減を大幅に図るようにしながら、デバイダに対する視認性を高めることができ、夜間作業における倒伏穀稈などに起因した作業効率の低下を抑制することができる。
【００２１】
従って、コストの削減を効果的に図りながら、夜間作業での作業効率の向上を図ることができる。
【発明を実施するための最良の形態】
【００２２】
図１には、走行に伴って水稲や麦などの作物を収穫する３条収穫用のコンバイン（収穫機の一例）の全体側面図が示されている。また、図２にはその全体平面が示されている。これらの図に示すように、このコンバインは、角パイプ材などによって機体フレーム１が形成されている。機体フレーム１の右前部には、エンジン２などが搭載されるとともに搭乗運転部３が形成されている。機体フレーム１の下部には、エンジン２からの動力で駆動される左右一対のクローラ式走行装置４が配備されている。機体フレーム１の左前部には、３条刈り用の刈取搬送部（収穫部の一例）５が昇降可能に連結されている。機体フレーム１の左後部には、エンジン２からの動力で駆動される脱穀装置６が搭載されている。脱穀装置６の後部には、エンジン２からの動力で駆動される排ワラ処理装置７が装備されている。機体フレーム１の右後部には、エンジン１からの動力で駆動される穀粒排出装置８を備えた穀粒タンク９が搭載されている。
【００２３】
図１〜３に示すように、刈取搬送部５は、丸パイプ材などによって形成された刈取フレーム１０が機体フレーム１に上下揺動可能に連結されている。刈取搬送部５の前端には、機体の前方に位置する植立穀稈を、機体の走行に伴って植え付け条ごとに梳き分けながら梳き起こす４つのデバイダ１１が配備されている。刈取搬送部５におけるデバイダ１１の後方には、梳き起こされた各植立穀稈を所定の刈取姿勢に引き起こす３つの引起装置１２が立設されている。刈取搬送部５における引起装置１２の下端後方には、引き起こされた各植立穀稈の株元側を切断するバリカン型の刈取装置１３が配備されている。刈取搬送部５における刈取装置１３の上方には、株元側が切断された植立穀稈（刈取穀稈）を刈取搬送部５の左右中央に寄せ集める補助搬送装置１４などが配備されている。刈取搬送部５の左後部には、刈取搬送部５の左右中央に寄せ集められた刈取穀稈を起立姿勢から右倒れ姿勢に姿勢変更しながら後方の脱穀装置６に向けて搬送する穀稈搬送装置１５が配備されている。機体フレーム１と刈取フレーム１０とにわたって、刈取搬送部５を昇降駆動する油圧式の昇降シリンダ１６が架設されている。
【００２４】
つまり、刈取搬送部５は、機体の走行に伴って３条の植立穀稈を刈り取るとともに、刈り取った植立穀稈（刈取穀稈）を所定の脱穀姿勢に姿勢変更しながら脱穀装置６に向けて搬送し、かつ、昇降シリンダ１６の作動で昇降するように構成されている。
【００２５】
図示は省略するが、脱穀装置６は、刈取搬送部５から受け取った刈取穀稈を後方に向けて搬送しながら、その穂先側に対して脱穀処理を施す。この脱穀処理で得られた処理物に対しては、篩い選別や風力選別による選別処理を施す。この選別処理で得られた単粒化穀粒を穀粒タンク９に供給し、未単粒化穀粒などに対しては再び脱穀処理や選別処理を施し、切れワラやワラ屑などの塵埃を機外に排出する。また、脱穀処理後の刈取穀稈（排ワラ）を排ワラ処理装置７に向けて搬送する。
【００２６】
排ワラ処理装置７は、脱穀装置６からの排ワラをそのまま機外に放出する長ワラ放出状態と、脱穀装置６からの排ワラを細断する細断放出状態とに、放出状態の切り換えが可能となるように構成されている。また、エンジン２からの動力で駆動されることにより、排ワラに対する細断処理が可能となる。
【００２７】
穀粒排出装置８は、エンジン２からの動力で駆動されることにより、穀粒タンクに貯留された穀粒を機外の所定位置（例えばトラックの荷台など）に排出する。
【００２８】
図１〜３に示すように、搭乗運転部３は、機体フレーム１の右前端部に立設したフロントパネル１７に操縦レバー１８や表示パネル１９などが装備されている。刈取搬送部５との境界として立設されたサイドパネル２０に主変速レバー２１や副変速レバー２２などが装備されている。エンジン２を上方から覆うエンジンカバー２３に運転座席２４が装備されている。
【００２９】
操縦レバー１８は、十字揺動式で中立復帰型に構成されている。また、その前後方向への揺動操作に基づいて刈取搬送部５が昇降し、かつ、左右方向への揺動操作に基づいて機体の方向転換が行われるように、刈取搬送部５の昇降駆動系や左右のクローラ式走行装置４の伝動系に、機械式の連係機構（図示せず）を介して操作連係されている。
【００３０】
フロントパネル１７は、その前面の右上側部分が前方に向けて膨出するように形成されている。これにより、搭乗運転部３の足元空間を狭めることなく、フロントパネル１７の右側内部に、操縦レバー１８に対する連係機構を配備することが可能な大きい空間が確保されている。
【００３１】
図１〜４に示すように、このコンバインには、機体の前方を照明する照明装置２５が装備されている。照明装置２５は、正面視楕円形の前照灯２６によって構成されている。前照灯２６は、正面視楕円形のベースプレート２７に、３つの照明ユニット２８と、正面視楕円形で側面視お椀状に膨出形成された無色透明のカバー２９とを備えて構成され、フロントパネル１７における前面の右上側部分に、その上部側が下部側よりも刈取搬送部５に近づく左倒れ姿勢（正面視右上がり姿勢）で組み付けられている。
【００３２】
前照灯２６において、ベースプレート２７は、その表面が反射面として機能するように表面にアルミ蒸着処理が施されている。ベースプレート２７には、照明ユニット取り付け用の３つの取付孔２７Ａが、その長手方向に一定距離を隔てて一列に整列形成されている。３つの照明ユニット２８のうち、最上位に位置する照明ユニット２８は、機体の左前方を重点的に照明するように向き設定された状態で、ベースプレート２７の最上位の取付孔２７Ａに内嵌装着されている。上下中間に位置する照明ユニット２８は、機体の左右中央前方を重点的に照明するように向き設定された状態で、ベースプレート２７の上下中間の取付孔２７Ａに内嵌装着されている。最下位に位置する照明ユニット２８は、機体の右前方を重点的に照明するように向き設定された状態で、ベースプレート２７の最下位の取付孔２７Ａに内嵌装着されている。
【００３３】
各照明ユニット２８は、アルミ蒸着処理によって表面が反射面に形成されたリフレクタ３０と、そのリフレクタ３０に光源体３１として取り付けられた５つの発光ダイオード（以下、ＬＥＤと略称する）とを備えて構成されている。リフレクタ３０は、その中心と、中心を交点とする直交線上における中心から一定距離を隔てる４つの所定位置とに、それぞれＬＥＤ３１が配備されている。また、リフレクタ３０における４つの所定位置には、対応するＬＥＤ３１からの光を、そのＬＥＤ３１の照射方向に向けて反射させるリフレクタ部３０Ａが形成されている。各リフレクタ部３０Ａは、正面視楕円形で、その最短径がリフレクタ３０の径方向に沿う姿勢に姿勢設定され、対応するＬＥＤ３１からの光を、その長手方向に広角に反射させるように形成されている。つまり、各照明ユニット２８には、対応するＬＥＤ３１の配光特性を高めるリフレクタ部３０Ａが備えられている。
【００３４】
最上位の照明ユニット２８および上下中間の照明ユニット２８において、各ＬＥＤ３１は、前照灯２６をフロントパネル１７に組み付けた場合に、照明ユニット２８の中心に配置されたＬＥＤ３１の上下左右に他のＬＥＤ３１が位置する十字状に並ぶように配置設定されている。また、最下位の照明ユニット２８において、各ＬＥＤ３１は、前照灯２６をフロントパネル１７に組み付けた場合に、照明ユニット２８の中心に配置されたＬＥＤ３１に対する斜め４５度の位置に他のＬＥＤ３１が位置するＸ字状に並ぶように配置設定されている。
【００３５】
最上位の照明ユニット２８は、遠方照射用で、各ＬＥＤ３１からの光（光線ａ）が、機体の左端に位置するデバイダ１１の前方に向かうように、各ＬＥＤ３１の照射方向が設定されている。上下中間の照明ユニット２８は、中間照射用で、各ＬＥＤ３１からの光（光線ａ）が、機体の左右中央に位置する２つのデバイダ１１の近傍前方に向かうように、各ＬＥＤ３１の照射方向が設定されている。最下位の照明ユニット２８は、近傍照射用で、各ＬＥＤ３１からの光（光線ａ）が、機体の右端に位置するデバイダ１１やその周辺に向かうように、各ＬＥＤ３１の照射方向が設定されている。そして、最下位の照明ユニット２８においては、その最下位に位置する２つのＬＥＤ３１からの光（光線ａ）が、機体の右端に配置されたデバイダ１１の近傍において交差するように、最下位に位置する２つのＬＥＤ３１の照射方向が設定されている。
【００３６】
つまり、このコンバインにおいては、３つの照明ユニット２８を備える３灯式に構成された前照灯２６をフロントパネル１７の最前端位置に配備し、かつ、各照明ユニット２８による照明を機体前方の左右方向と遠近方向とに適切に振り分けたことで、夜間の移動走行時や作業走行時においては、機体の前方をより広範囲に明るく照明することができる。これにより、夜間における機体前方側での視認可能範囲が広くなり、機体前方の走行路面の状況や機体の左右幅などが把握し易くなることから、夜間での移動走行や作業走行が行い易くなる。
【００３７】
さらに、走行面に近い最下位の照明ユニット２８によって機体の右前方を重点的に照明することから、夜間の作業走行時には、機体の右側方に位置する畦や切株などに対する視認性が向上し、また、夜間の移動走行時には、農道の横側方に位置する溝などに対する視認性が向上する。これにより、夜間の作業走行時においては、畦や切株などに沿わせた走行が行い易くなり、また、夜間の移動走行時においては、側溝などから一定距離を隔てた走行などが行い易くなる。
【００３８】
しかも、収穫作物に対して各デバイダ１１を適切に位置させる条合わせの基準となる機体右端のデバイダ１１を、その近傍に光線ａの交点ｐが位置するように照射方向が設定された２つのＬＥＤ３１からの光によるクロスライティングによって、集中的に適切な輝度でより明るく照明することができる。これにより、機体の前方を均一に照明する場合に比較して、機体右端のデバイダ１１に対する視認性を高めることができ、植立穀稈の倒伏が激しい圃場での夜間作業においても、機体右端のデバイダ１１を基準とした条合わせを適正かつ容易に行うことができる。
【００３９】
その結果、夜間作業での移動走行性や作業走行性の向上を図りながら、夜間作業における倒伏穀稈などに起因した作業効率の低下を抑制することができ、よって、夜間作業での作業効率の向上を効果的に図ることができる。特に、機体右端のデバイダ１１を基準とした条合わせを適正かつ容易に行えることにより、搭乗運転部３を圃場の既刈り側に位置させた状態で、未刈り穀稈における外周部側の植立穀稈から順に収穫する回り刈り作業などを行う上において重要な、機体右端のデバイダ１１と、未刈り穀稈の最外方に位置する植立穀稈との位置合わせも行い易くなり、よって、夜間での回り刈り作業などにおける作業効率の向上を効果的に図ることができる。
【００４０】
なお、図３に示す符号３２は、機体の前部に備えた左右一対のウィンカである。
【００４１】
〔別実施形態〕
【００４２】
〔１〕収穫機としては、２条刈り用の刈取搬送部５や４条刈り用以上の刈取搬送部５を収穫部５の一例として機体の前部に配備したコンバインであってもよい。また、人参や大根あるいは玉葱などの葉茎を挟持して、それらを圃場から引き抜きながら搬送する引抜搬送装置を収穫部５の一例として機体の前部に配備した根菜収穫用や玉葱収穫用などの収穫機であってもよい。
【００４３】
〔２〕収穫部５としては、機体フレーム１に対して左右方向にスライド変位可能に構成されたものであってもよい。また、機体フレーム１の左前端部を支点にした機体左外方への揺動変位が可能となるように構成されたものであってもよい。
【００４４】
〔３〕照明装置２５としては、最下位の照明ユニット２８におけるいずれか複数のＬＥＤ３１からの光が、機体の右端に配置したデバイダ１１の近傍において交差するように、最下位の照明ユニット２８におけるいずれか複数のＬＥＤ３１の照射方向を設定したものであってもよい。具体的には、例えば、最下位の照明ユニット２８において、その最上位に位置する２つのＬＥＤ３１からの光が、機体の右端に配置したデバイダ１１の近傍において交差するように、最上位に位置する２つのＬＥＤ３１の照射方向を設定してもよい。また、最下位の照明ユニット２８において、その最下位に位置する２つのＬＥＤ３１からの光と、中心に位置するＬＥＤ３１からの光とが、機体の右端に配置したデバイダ１１の近傍において交差するように、最上位に位置する２つのＬＥＤ３１と中心に位置するＬＥＤ３１とのそれぞれの照射方向を設定してもよい。
【００４５】
〔４〕照明装置２５としては、最下位の照明ユニット２８におけるいずれか複数のＬＥＤ３１からの光が、機体の右端に配置したデバイダ１１以外の他のデバイダ１１の近傍において交差するように、それらのＬＥＤ３１の照射方向を設定したものであってもよい。
【００４６】
〔５〕照明装置２５としては、最下位の照明ユニット２８におけるいずれか複数のＬＥＤ３１からの光が、いずれか一つのデバイダ１１の近傍において交差し、かつ、最下位の照明ユニット２８における他の複数のＬＥＤ３１からの光が、他のいずれか一つのデバイダ１１の近傍において交差するように、それらのＬＥＤ３１の照射方向を設定したものであってもよい。具体的には、例えば、図５に示すように、最下位の照明ユニット２８における、最下位に位置する２つのＬＥＤ３１からの光（光線ａ）が、機体右端のデバイダ１１の近傍において交差し、かつ、最上位に位置する２つのＬＥＤ３１からの光（光線ａ）が、機体右側から２つ目のデバイダ１１の近傍において交差するように、それらのＬＥＤ３１の照射方向を設定してもよい。
【００４７】
〔６〕照明装置２５としては、最上位の照明ユニット２８におけるいずれか複数のＬＥＤ３１からの光が、機体の前端に配置したいずれかのデバイダ１１の近傍において交差するように、それらのＬＥＤ３１の照射方向を設定したものであってもよい。また、上下中間の照明ユニット２８におけるいずれか複数のＬＥＤ３１からの光が、機体の右端に配置したデバイダ１１の近傍において交差するように、それらのＬＥＤ３１の照射方向を設定したものであってもよい。
【００４８】
〔７〕照明装置２５としては、単一の前照灯２６に備えた３つの照明ユニット２８のうちのいずれか複数または全てが、それぞれのいずれか複数のＬＥＤ３１からの光を、対応するいずれかのデバイダ１１の近傍において交差させるように構成されたものであってもよい。具体的には、例えば、最下位の照明ユニット２８におけるいずれか複数のＬＥＤ３１からの光が、機体の右端に配置したデバイダ１１の近傍において交差し、かつ、最上位の照明ユニット２８におけるいずれか複数のＬＥＤ３１からの光が、機体の左端に配置したデバイダ１１の近傍において交差するように、それらのＬＥＤ３１の照射方向を設定してもよい。また、最上位の照明ユニット２８におけるいずれか複数のＬＥＤ３１からの光が、機体の右端に配置したデバイダ１１の近傍において交差し、かつ、上下中間の照明ユニット２８におけるいずれか複数のＬＥＤ３１からの光が、機体右側から２つ目のデバイダ１１の近傍において交差するように、それらのＬＥＤ３１の照射方向を設定してもよい。さらに、最下位の照明ユニット２８におけるいずれか複数のＬＥＤ３１からの光が、機体の右端に配置したデバイダ１１の近傍において交差し、かつ、上下中間の照明ユニット２８におけるいずれか複数のＬＥＤ３１からの光が、機体右側から２つ目のデバイダ１１の近傍において交差し、かつ、最上位の照明ユニット２８におけるいずれか複数のＬＥＤ３１からの光が、機体の左端に配置したデバイダ１１の近傍において交差するように、それらのＬＥＤ３１の照射方向を設定してもよい。
【００４９】
〔８〕照明装置２５としては、単一の前照灯２６に備えた３つの照明ユニット２８のうちのいずれか複数または全てが、それらのいずれかのＬＥＤ３１からの光を、対応するいずれかのデバイダ１１の近傍において交差させるように構成されたものであってもよい。具体的には、例えば、図６に示すように、最下位の照明ユニット２８におけるいずれかのＬＥＤ３１からの光（光線ａ）と、上下中間の照明ユニット２８におけるいずれかのＬＥＤ３１からの光（光線ａ）とが、機体の右端に配置したデバイダ１１の近傍において交差するように、それらのＬＥＤ３１の照射方向を設定してもよい。
【００５０】
〔９〕照明装置２５を、機体の左右に配備した一対の前照灯２６により構成し、左右一方の前照灯２６に備えた光源体３１からの光と、左右他方の前照灯２６に備えた光源体３１からの光とが、機体の前端に備えたいずれかのデバイダ１１の近傍において交差するように構成してもよい。具体的には、例えば、図７および図８に示すように、照明装置２５を、刈取収穫部５の左右両端上部に配備した一対の前照灯２６で構成し、各前照灯２６として、上記の実施形態と同じ３つの照明ユニット２８を備える３灯式のものを採用し、左側の前照灯２６における最上位の照明ユニット２８のいずれかのＬＥＤ３１からの光（光線ａ）と、右側の前照灯２６における最下位の照明ユニット２８のいずれかのＬＥＤ３１からの光（光線ａ）とが、機体の右端に配置したデバイダ１１の近傍において交差し、かつ、左側の前照灯２６における最下位の照明ユニット２８のいずれかのＬＥＤ３１からの光（光線ａ）と、右側の前照灯２６における最上位の照明ユニット２８のいずれかのＬＥＤ３１からの光（光線ａ）とが、機体の左端に配置したデバイダ１１の近傍において交差するように、それらのＬＥＤ３１の照射方向を設定してもよい。
【００５１】
〔１０〕図９に示すように、照明装置２５を、刈取収穫部５の左右両端上部に配備した一対の前照灯２６で構成し、機体左側の前照灯２６においては、その最上位の照明ユニット２８が、遠方照射用として、機体の右端に位置するデバイダ１１の前方を照射し、上下中間の照明ユニット２８が、中間照射用として、機体の左右中央に位置するデバイダ１１の近傍前方を照射し、最下位の照明ユニット２８が、近傍照射用として、機体の左端に位置するデバイダ１１やその周辺を照射し、かつ、その最下位の照明ユニット２８におけるいずれか複数のＬＥＤ３１からの光（光線ａ）が、機体の左端に位置するデバイダ１１の近傍において交差するように、それらのＬＥＤ３１の照射方向を設定し、また、機体右側の前照灯２６においては、その最上位の照明ユニット２８が、遠方照射用として、機体の左端に位置するデバイダ１１の前方を照射し、上下中間の照明ユニット２８が、中間照射用として、機体の左右中央に位置するデバイダ１１の近傍前方を照射し、最下位の照明ユニット２８が、近傍照射用として、機体の右端に位置するデバイダ１１やその周辺を照射し、かつ、その最下位の照明ユニット２８におけるいずれか複数のＬＥＤ３１からの光（光線ａ）が、機体の右端に位置するデバイダ１１の近傍において交差するように、それらのＬＥＤ３１の照射方向を設定してもよい。
【００５２】
〔１１〕前照灯２６に備える照明ユニット２８の数量としては種々の変更が可能であり、例えば、前照灯２６に単一の照明ユニット２８または２つの照明ユニット２８を備えるようにしてもよく、また、４つ以上の照明ユニット２８を備えるようにしてもよい。前照灯２６に２つの照明ユニット２８を備えた場合には、例えば、第１具体例として、図１０に示すように、２つの照明ユニット２８が上下に並ぶように前照灯２６を縦長姿勢でフロントパネル１７に装備し、下側の照明ユニット２８を、近傍照射用として機能させるために、その各ＬＥＤ３１からの光（光線ａ）が、機体の右端に位置するデバイダ１１やその周辺に向かうとともに、いずれか複数のＬＥＤ３１からの光（光線ａ）が、機体の右端に配置されたデバイダ１１の近傍において交差するように、下側の照明ユニット２８における各ＬＥＤ３１の照射方向を設定し、かつ、上側の照明ユニット２８を、遠方照射用として機能させるために、その各ＬＥＤ３１からの光（光線ａ）が、機体の左端に位置するデバイダ１１の前方に向かうように、上側の照明ユニット２８における各ＬＥＤ３１の照射方向を設定してもよい。また、第２具体例として、図１１に示すように、上側の照明ユニット２８を、近傍照射用として機能させるために、その各ＬＥＤ３１からの光（光線ａ）が、機体の右端に位置するデバイダ１１やその周辺に向かうとともに、いずれか複数のＬＥＤ３１からの光（光線ａ）が、機体の右端に配置されたデバイダ１１の近傍において交差するように、上側の照明ユニット２８における各ＬＥＤ３１の照射方向を設定し、かつ、下側の照明ユニット２８を、遠方照射用として機能させるために、その各ＬＥＤ３１からの光（光線ａ）が、機体の左端に位置するデバイダ１１の前方に向かうように、下側の照明ユニット２８における各ＬＥＤ３１の照射方向を設定してもよい。
【００５３】
〔１２〕前照灯２６としては、図１２に示すように、フロントパネル１７に組み付けた場合に、前照灯２６に備えた全ての照明ユニット２８において、各ＬＥＤ３１が十字状に並ぶように構成されたものであってもよい。また、図示は省略するが、フロントパネル１７に組み付けた場合に、前照灯２６に備えた全ての照明ユニット２８において、各ＬＥＤ３１がＸ字状に並ぶように構成されたものであってもよい。
【００５４】
〔１３〕前照灯２６としては、図１３に示すように、前照灯２６に備えた３つの照明ユニット２８のうち、最下位の照明ユニット２８がより機体下方側に位置するように、下側２つの照明ユニット２８の配置間隔が上側２つの照明ユニット２８の配置間隔よりも大きくなるように配置設定したものであってもよい。また、図示は省略するが、前照灯２６に備えた３つの照明ユニット２８のうち、下側２つの照明ユニット２８がより機体下方側に位置するように、上側２つの照明ユニット２８の配置間隔が下側２つの照明ユニット２８の配置間隔よりも大きくなるように配置設定したものであってもよい。
【００５５】
〔１４〕前照灯２６の形状や組み付け姿勢としては種々の変更が可能である。例えば、前照灯２６を正面視縦長の小判形や正面視円形などに形成してもよい。また、前照灯２６を、その上下両部の収穫部５からの距離が同じになる垂直姿勢や、その下部側が上部側よりも収穫部５に近づく右倒れ姿勢（正面視左上がり姿勢）で配備するようにしてもよい。
【００５６】
〔１５〕図５および図７〜９に示すように、前照灯２６におけるカバー２９の上下中間部にウィンカ３２を一体装備して、カバー２９の剛性を高めるようにしてもよい。
【００５７】
〔１６〕照明ユニット２８におけるＬＥＤ３１の装備数量は種々の変更が可能である。
【００５８】
〔１７〕光源体３１として、ハロゲンバルブや高輝度放電灯（ＨＩＤ）などを採用してもよい。
【図面の簡単な説明】
【００５９】
【図１】コンバインの全体側面図
【図２】コンバインにおける要部の平面図
【図３】コンバインの正面図
【図４】前照灯の正面図
【図５】別実施形態〔５〕および〔１５〕の具体例を示すコンバインの正面図
【図６】別実施形態〔８〕の具体例を示すコンバインの正面図
【図７】別実施形態〔９〕および〔１５〕の具体例を示すコンバイン前部の平面図
【図８】別実施形態〔９〕および〔１５〕の具体例を示すコンバインの正面図
【図９】別実施形態〔１０〕および〔１５〕での照射構造を示すコンバイン前半部の正面図
【図１０】別実施形態〔１１〕の第１具体例を示すコンバイン前半部の正面図
【図１１】別実施形態〔１１〕の第２具体例を示すコンバイン前半部の正面図
【図１２】別実施形態〔１２〕での前照灯の構成を示す前照灯の正面図
【図１３】別実施形態〔１３〕での前照灯の構成を示す前照灯の正面図
【符号の説明】
【００６０】
５    収穫部
１１  デバイダ
２５  照明装置
２６  前照灯
２８  照明ユニット
３１  光源体（発光ダイオード）
ｐ    光の交点
【図１】
2008237061.tif 000003
【図２】
2008237061.tif 000004
【図３】
2008237061.tif 000005
【図４】
2008237061.tif 000006
【図５】
2008237061.tif 000007
【図６】
2008237061.tif 000008
【図７】
2008237061.tif 000009
【図８】
2008237061.tif 000010
【図９】
2008237061.tif 000011
【図１０】
2008237061.tif 000012
【図１１】
2008237061.tif 000013
【図１２】
2008237061.tif 000014
【図１３】
2008237061.tif 000015